(57)【特許請求の範囲】
【請求項１】
送風機を具備した室内ユニット本体と、前記室内ユニット本体に開口し、前記送風機で発生した風を送出する吹出口と、前記吹出口から流出する風の上下方向を変更し、前記室内ユニット本体の左右において、前記室内ユニットの長手方向の辺の長さと等しくして取付けられ、または長くして前記吹出口から突出して取付けられた上下風向変更手段と、前記風向変更手段の上部側に設けられ前記上下風向変更手段を駆動する駆動手段と、を備えたことを特徴とする空気調和機。
【請求項２】
送風機を具備した室内ユニット本体と、前記室内ユニット本体の左右長手方向における少なくとも一方の端部を含めて開口し、前記送風機で発生した風を送出する吹出口と、前記吹出口から流出する風の上下方向を変更し、前記室内ユニット本体端部において、前記室内ユニットの長手方向の辺の長さと等しくして取付けられ、または長くして前記吹出口から突出して取付けられた上下風向変更手段と、前記風向変更手段の端部上方に設けられ前記上下風向変更手段を駆動する駆動手段と、を備えたことを特徴とする空気調和機。
【請求項３】
前記駆動手段と前記上下風向変更手段とを連結し、前記上下風向変更手段に前記駆動手段の動力を伝える連結手段を備えたことを特徴とする請求項２記載の空気調和機。
【請求項４】
送風機を具備した室内ユニット本体と、前記室内ユニット本体の左右長手方向における少なくとも一方の端部を含めて開口し、前記送風機で発生した風を送出する吹出口と、前記吹出口から流出する風の上下方向を変更し、前記室内ユニット本体端部に延在する上下風向変更手段と、前記上下風向変更手段を駆動する駆動手段と、を備え、前記上下風向変更手段に開口部を形成すると共に、前記駆動手段を前記開口部に配置したことを特徴とする空気調和機。
【請求項５】
前記上下風向変更手段を室内ユニット本体に直接回動自在に取り付けたことを特徴とする請求項３記載の空気調和機。
【発明の詳細な説明】
【０００１】
【産業上の利用分野】
この発明は、送風分布を改善するようにした空気調和機の吹出口、風向変更羽根の構造に関するものである。
【０００２】
【従来の技術】
図１０ないし図１２は例えば特開昭６１−２８９２５９号公報に示された従来の空気調和機を示したものである。図１０は、従来の空気調和機の構成を示す斜視図である。図１１は従来の上下風向変更羽根の構成を示す概略斜視図である。図１２は従来の空気調和機の風向分布を示す要部斜視図である。
図において、１は室内ユニット本体、５は上下風向変更羽根、８は前記上下風向変更羽根を回転駆動するためのモータであり、上下風向変更羽根５の側部に設けられている。１０は吹出風、１２は左右風向変更羽根、１３は前記左右風向変更羽根を回転駆動するためのモータ、１４は吹出口１６の短辺であり、１５は長辺である。１７は軸であり、上下風向変更羽根５は軸１７を介して吹出口１６に取り付けられている。
【０００３】
次にこの動作について説明する。本体の送風機で発生した風は、上下風向変更羽根５および左右風向変更羽根１２の規制を受け、吹出口１６より送出される。このため送風の面積は吹出口の短辺１４および吹出口の長辺１５により規制される。
【０００４】
【発明が解決しようとする課題】
従来の空気調和機は以上のようにモータ８が上下風向変更羽根５近傍に設けられ、上下風向変更羽根５は軸１７を介して吹出口１６に取り付けられている構成であるので、室内ユニット本体１の長辺寸法より上下風向変更羽根５の長辺寸法を短くしなければならず、また上下風向変更羽根５の長辺寸法に合わせて吹出口１６を設けるので、室内ユニット本体１の長辺寸法より吹出口１６の長辺寸法が短くなり、室内に対しての上下方向、水平方向の送風分布が良くないという問題点があった。
【０００５】
この発明は前記のような問題点を解消するためになされたもので、室内に対しての送風分布を改善するとともに室内を均一に冷暖房できる空気調和機を得ることを目的とする。
【０００７】
【課題を解決するための手段】
この発明にかかる空気調和機は、送風機を具備した室内ユニット本体と、前記室内ユニット本体に開口し、前記送風機で発生した風を送出する吹出口と、前記吹出口から流出する風の上下方向を変更し、前記室内ユニット本体の左右において、前記室内ユニットの長手方向の辺の長さと等しくして取付けられ、または長くして前記吹出口から突出して取付けられた上下風向変更手段と、前記風向変更手段の上部側に設けられ前記上下風向変更手段を駆動する駆動手段と、を備えたものである。
【０００８】
また、送風機を具備した室内ユニット本体と、前記室内ユニット本体の左右長手方向における少なくとも一方の端部を含めて開口し、前記送風機で発生した風を送出する吹出口と、前記吹出口から流出する風の上下方向を変更し、前記室内ユニット本体端部において、前記室内ユニットの長手方向の辺の長さと等しくして取付けられ、または長くして前記吹出口から突出して取付けられた上下風向変更手段と、前記風向変更手段の端部上方に設けられ前記上下風向変更手段を駆動する駆動手段と、を備えたものである。
【０００９】
また、前記駆動手段と前記上下風向変更手段とを連結し、前記上下風向変更手段に前記駆動手段の動力を伝える連結手段を備えたものである。
【００１０】
また、前記上下風向変更手段に開口部を形成すると共に、前記駆動手段を前記開口部に配置したものである。
【００１１】
また、前記上下風向変更手段を室内ユニット本体に直接回動自在に取り付けたものである。
【００１２】
【作用】
この発明における空気調和機は、吹出口が室内ユニット本体端部を含んで開口しているので、室内水平方向の送風幅が拡大される。
【００１３】
また、上下風向変更手段が室内ユニット本体端部に延在するので、室内上下方向の送風幅が拡大される。
【００１４】
また、吹出口が室内ユニット本体端部を含んで開口し、上下風向変更手段が室内ユニット本体端部に延在するので、室内の水平方向と上下方向の送風幅が同時に拡大される。
【００１５】
また、駆動手段と上下風向変更手段とを連結する連結手段を設けているので、駆動手段が室内ユニット本体内の任意の位置にあっても、駆動手段の動きが上下風向変更手段に伝わる。
【００１６】
また、上下風向変更手段に開口部を形成したので、駆動手段を前記開口部に配置できる。
【００１７】
さらに、上下風向変更手段を室内ユニット本体に直接回動自在に取り付けるので、取り付けるための軸が不要となる。
【００１８】
【実施例】
実施例１．
以下、この発明の一実施例を図について説明する。図１はこの発明の実施例１の空気調和機を示す要部拡大斜視図である。図２はこの発明の実施例１の空気調和機を示す正面図である。図３はこの発明の実施例１の空気調和機を示す側面図である。同図において、１は室内ユニット本体、２はこの室内ユニット本体１に設けられ、矩形状の吹出流路を形成する吹出口、３は前記吹出口２を構成する長手方向の辺、４は前記長手方向の辺と直交する辺、５は前記吹出口２の中に回転自在に支持された上下風向変更手段であり、本実施例では上下風向変更羽根が用いられており、吹出風１０を上下に変更する。そして室内ユニット本体１に軸を介さずに直接回動自在に設けられている。６は前記上下風向変更羽根５を構成する長辺、７は前記上下風向変更羽根５を構成する短辺である。８は前記上下風向変更羽根５を回転駆動する駆動手段であり、本実施例では駆動用モータが用いられている。９は駆動用モータ８と上下風向変更羽根５とを連結し、上下風向変更羽根５に駆動用モータ８の動力を伝える連結手段であり、本実施例ではクランク機構が用いられている。クランク機構９と上下風向変更羽根５とは上下風向変更羽根５の短辺７に取り付けられている。１０は吹出風を示し、１１は吹出口２に設けられた駆動用モータ取付板である。１２は吹出口２の中に設けられた左右方向変更羽根である。１９は前記上下風向変更羽根５を室内ユニット本体１に直接回動自在に取り付ける取り付け具である。
【００１９】
次に動作について説明する。室内ユニット本体１の送風機（図示せず）で発生した風は室内ユニット長辺と等しい長辺３を持つ吹出口２より、上下風向変更羽根５および左右方向変更羽根１２の規制を受け、吹出風１０として送出される。また駆動用モータ８はクランク機構９を介して上下風向変更羽根５の端部上方に設置されており、駆動用モータ８に通電すると上下方向に風を変更させることができる。駆動用モータ８の位置は実施例１では上下風向変更羽根５の端部上方にあり、クランク機構９を介して設けられているが、クランク機構９を介さずに上下風向変更羽根５に開口を設け、吹出口２に設けられた駆動用モータ取付板１１を使って上下風向変更羽根５に直接設けても良い。これらのような構成にすることによって吹出口２を室内ユニット本体１の両端部まで延在させることが可能となる。よって、心地良い送風の分布を実現することができるようになる。
【００２０】
さらに、上下風向変更羽根５が室内ユニット本体１に直接回動自在に設けられているので取り付けるための軸は不要となり、吹出口を室内ユニット本体端部に延在させることが、また上下風向変更手段が室内ユニット本体端部に延在させることが可能になる。
【００２１】
実施例１では、吹出口２は室内ユニット本体１の正面下部に、正面の左右両端まで延在して設けられており、室内ユニット本体１と吹出口の寸法が等しい構成になっている。吹出口２が室内ユニット本体１端部に延在するとは、図１に示すように開口が室内ユニット本体１側面まである場合と、吹出口２を室内ユニット本体１から前方に突出させる等によって室内ユニット本体１より吹出口の長辺３が長くなっている場合のことを表わす。いずれの場合であっても同様の効果が得られる。
【００２２】
また実施例１では吹出口２が室内ユニット本体１の正面の下部に吹出口２が設けられている例であるが、吹出口２は室内ユニット本体１の正面でなく、室内ユニット本体１の取り付け位置によりその側面、底面などにあっても良い。
【００２３】
また、実施例１では吹出口２は室内ユニット本体１の左右両端まで延在する構成となっているが、上下両端であっても良い。
さらに、左右両端もしくは上下両端でなくても、少なくともどちらか一方端部にまで延在しているだけでも室内の送風幅を拡大することができる。
【００２４】
そして、吹出口２にスライドその他などの、風量を規制・調節する風量調節手段を設けることによって、例えば室内にいる人が少数であって室内全域に風の送出が必要ない場合や、風呂上がりなど局部的に風の送出を必要とする場合には、吹出口２に設けられた風量調節手段によって風量を調節して、スポット送出することも可能である。すなわち風量調節手段を設けることによって、室内の水平方向と上下方向の送風幅が同時に拡大されるだけでなく、必要に応じて風量を調節して、より快適で様々な室内状況に合った送風分布を実現することができるのである。
実施例２．
【００２５】
図４はこの発明の実施例２の空気調和機を示す要部拡大斜視図である。図５はこの発明の実施例２の空気調和機を示す正面図である。図６はこの発明の実施例２の空気調和機を示す側面図である。１〜１２までは上記実施例１と全く同じである。１８は上下風向変更羽根５に設けられた開口部であって、本実施例では上下風向変更羽根５の一部が切り欠き部となっている。図４では、駆動用モータ８は吹出口２に設けられた駆動用モータ取付板１１を用いて、上下風向変更羽根５の中央部近傍の切り欠き部１８に設置されており、クランク機構９を用いずに駆動用モータ８の動きを上下風向変更羽根５に伝えることができる。また実施例１と同様に駆動用モータ８はクランク機構９を介して上下風向変更羽根５の上方に設置されていても良い。そして室内ユニットの長手方向の辺の長さと上下風向変更羽根５の長手方向の辺の長さとを等しくしている。よって、従来の室内の送風分布を改善し、心地良い送風の分布を実現することができるようになる。
【００２６】
室内ユニット本体１の送風機（本文では図示せず）で発生した風は、室内ユニット長辺と等しい長辺３を持つ吹出口２より、室内ユニット長辺と等しい長辺６を持つ上下風向変更羽根５及び左右風向変更羽根１２の規制を受け、吹出風１０として送出される。駆動用モータ８に通電すると上下方向に風を変更させることができる。駆動モータ８の設置位置、すなわち切り欠き部１８は実施例２では上下風向変更羽根５の中央部近傍にあるが、中央部近傍でなくとも良い。
また上下風向変更羽根５が室内ユニット本体１端部に延在するとは、室内ユニットの長手方向の辺の長さと上下風向変更羽根５の長手方向の辺の長さとを等しくして、室内ユニット本体１に直接もしくは間接に取り付けられている場合や、室内ユニット本体１の長手方向の辺の長さより上下風向変更羽根５の長手方向の辺の長さを長くして、吹出口２から突出するような構造で取り付けられる場合を表わす。
実施例３．
【００２７】
図７はこの発明の実施例３の空気調和機を示す要部拡大斜視図である。図８はこの発明の実施例３の空気調和機を示す正面図である。図９はこの発明の実施例３の空気調和機を示す側面図である。１〜１２までは上記実施例１と同じである。室内ユニット本体１の送風機（本文では図示せず）で発生した風は、室内ユニット長辺と等しい長辺３を持つ吹出口２より、室内ユニット長辺と等しい長辺６を持つ上下風向変更羽根５及び左右風向変更羽根１２の規制を受け、吹出風１０として送出される。また駆動モータ８はクランク機構９を介して上下風向変更羽根５の中央上部に設置されていて、駆動用モータ８に通電すると上下方向に風を変更させることができる。クランク機構９と上下風向変更羽根５とは、図７に示す様に上下風向変更羽根５の一部に開口を設け、そこに設けられた取り付け棒に取り付けているものである。
【００２８】
なお、実施例１ないし３において室内ユニット本体１の側面開口を覆うようにグリルを設ければ、上下風向変更羽根５、左右風向変更羽根１２に巻き込まれたり、異物が入り込むことを防止することができる。
【００３０】
【発明の効果】
以上のようにこの発明は、送風機を具備した室内ユニット本体と、室内ユニット本体に開口し、送風機で発生した風を送出する吹出口と、吹出口から流出する風の上下方向を変更し、室内ユニット本体の左右において、前記室内ユニットの長手方向の辺の長さと等しくして取付けられ、または長くして前記吹出口から突出して取付けられた上下風向変更手段と、前記風向変更手段の上部側に設けられ上下風向変更手段を駆動する駆動手段と、を備え、上下風向変更手段が吹出口の端部に延在するので、室内上下方向の送風幅を拡大して、室内の送風分布を改善することができるという効果がある。
【００３１】
また、送風機を具備した室内ユニット本体と、室内ユニット本体の左右長手方向における少なくとも一方の端部を含めて開口し、送風機で発生した風を送出する吹出口と、吹出口から流出する風の上下方向を変更し、室内ユニット本体端部において、前記室内ユニットの長手方向の辺の長さと等しくして取付けられ、または長くして前記吹出口から突出して取付けられた上下風向変更手段と、風向変更手段の端部上方に設けられ上下風向変更手段を駆動する駆動手段と、を備え、吹出口が室内ユニット本体端部の端部含むよう開口し、上下風向変更手段が吹出口の端部まで延在するので、室内水平方向の送風幅を拡大して、室内の送風分布を改善することができると同時に室内上下方向の送風幅を拡大して、室内の送風分布を改善することができるという効果がある。
【００３２】
また、上下風向変更手段には連結された連結手段を介して駆動手段の動力が伝えられるので、駆動手段を室内ユニット本体内の任意の位置に設置でき、吹出口を室内ユニット本体端部に延在させること、また上下風向変更手段が室内ユニット本体端部に延在させることが可能になり、室内の送風分布を改善することができるという効果がある。
【００３３】
また、上下風向変更手段に開口部を形成したので、前記開口部に駆動手段を配置でき、連結手段を用いなくても吹出口を室内ユニット本体の端部含むよう開口させること、また上下風向変更手段を室内ユニット本体端部に延在させることが可能になり、室内の送風分布を改善することができるという効果がある。
【００３４】
さらに、上下風向変更手段を室内ユニット本体に直接回動自在に取り付けたので、軸が不要になり、吹出口を室内ユニット本体端部の端部含むよう開口させること、また上下風向変更手段を室内ユニット本体端部に延在させることが可能になり、室内の送風分布を改善することができるという効果がある。
【図面の簡単な説明】
【図１】  この発明の実施例１の空気調和機を示す要部拡大斜視図である。
【図２】  この発明の実施例１の空気調和機を示す正面図である。
【図３】  この発明の実施例１の空気調和機を示す側面図である。
【図４】  この発明の実施例２の空気調和機を示す要部拡大斜視図である。
【図５】  この発明の実施例２の空気調和機を示す正面図である。
【図６】  この発明の実施例２の空気調和機を示す側面図である。
【図７】  この発明の実施例３の空気調和機を示す要部拡大斜視図である。
【図８】  この発明の実施例３の空気調和機を示す正面図である。
【図９】  この発明の実施例３の空気調和機を示す側面図である。
【図１０】  従来の空気調和機の構成を示す斜視図である。
【図１１】  従来の上下風向変更羽根の構成を示す概略斜視図である。
【図１２】  従来の空気調和機の風向分布を示す要部斜視図である。
【符号の説明】
１  室内ユニット本体
２  吹出口
３  吹出口長辺
４  吹出口短辺
５  上下風向変更羽根
６  上下風向変更羽根長辺
７  上下風向変更羽根短辺
８  駆動用モータ
９  クランク機構
１０  吹出風
１８  切り欠き部
１９  取り付け具
【図１】
0003709573.tif 000002
【図２】
0003709573.tif 000003
【図３】
0003709573.tif 000004
【図４】
0003709573.tif 000005
【図５】
0003709573.tif 000006
【図６】
0003709573.tif 000007
【図７】
0003709573.tif 000008
【図８】
0003709573.tif 000009
【図９】
0003709573.tif 000010
【図１０】
0003709573.tif 000011
【図１１】
0003709573.tif 000012
【図１２】
0003709573.tif 000013